【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
選択されたターゲット・イベントを認識するための方法であって、
複数の入力センサを備える表示デバイスにおいて、前記複数の入力センサの内選択されたセンサを、より高い潜在レイテンシに対応する第１ポーリング・レートで動作させるステップと、
初期ユーザ関連情報を前記選択されたセンサから受け取るステップと、
前記初期ユーザ関連情報が複数のプレ・イベントの内１つに整合するかを判定するステップであって、各前記プレ・イベントが１つ以上の異なるパターンのプレ・イベントに対応し、各前記パターンが、見込まれる異なるターゲット・イベントに導く、ステップと、
前記初期ユーザ関連情報が前記複数のプレ・イベントの内１つに整合する場合に、前記選択されたセンサを、前記第１ポーリング・レートよりも早く、且つ前記より高い潜在レイテンシ未満のより低い潜在レイテンシに対応する第２ポーリング・レートで動作させるステップと、
後続のユーザ関連情報を前記選択されたセンサから受け取るステップと、
前記後続のユーザ関連情報が、前記選択されたターゲット・イベントではない予測プレ・イベントに整合する場合に、
前記選択されたターゲット・イベントが発生することになる推定実行時間を決定するステップと、
前記推定実行時間に、または前記推定実行時間よりも前に、前記選択されたターゲット・イベントに関連付けられる前記フィードバックを前記ユーザに供給するステップと、
を含む、方法。
【請求項２】
請求項１記載の方法であって、更に、前記初期ユーザ関連情報を受け取った後に、前記選択されたターゲット・イベントに関連付けられる前記フィードバックの少なくとも一部を事前フェッチするステップを含む、方法。
【請求項３】
適応イベント認識システムであって、
コンピューティング・デバイスに動作可能に接続される表示デバイスであって、表示システムおよび複数の入力センサを含む、表示デバイスと、
前記コンピューティング・デバイスのプロセッサによって実行される適応イベント認識プログラムと、
を含み、前記適応イベント認識プログラムが、
前記複数の入力センサの内選択されたセンサを、より高い潜在レイテンシに対応する第１ポーリング・レートで動作させ、
初期ユーザ関連情報を前記選択されたセンサから受け取り、
前記初期ユーザ関連情報が複数のプレ・イベントの内１つに整合するかを判定し、各前記プレ・イベントが１つ以上の異なるパターンのプレ・イベントに対応し、各前記パターンが、見込まれる異なるターゲット・イベントに導き、
前記初期ユーザ関連情報が前記複数のプレ・イベントの内１つに整合する場合に、前記選択されたセンサを、前記第１ポーリング・レートよりも早く、且つ前記より高い潜在レイテンシ未満のより低い潜在レイテンシに対応する第２ポーリング・レートで動作させ、
後続のユーザ関連情報を前記選択されたセンサから受け取り、
前記後続のユーザ関連情報が、前記見込まれる異なるターゲット・イベントの中から選択されるターゲット・イベントに整合する場合に、該選択されたターゲット・イベントに関連付けられるフィードバックを、前記表示デバイスを通じてユーザに供給する、
ように構成される、適応イベント認識システム。
【請求項４】
請求項３記載の適応イベント認識システムにおいて、前記適応イベント認識プログラムが更に、前記後続のユーザ関連情報が前記選択されたターゲット・イベントではない予測プレ・イベントに整合する場合に、
前記選択されたターゲット・イベントが発生することになる推定実行時間を決定し、
前記推定実行時間に、または前記推定実行時間よりも前に、前記選択されたターゲット・イベントに関連付けられる前記フィードバックを前記ユーザに供給する
ように構成される、適応イベント認識システム。
【請求項５】
請求項３記載の適応イベント認識システムにおいて、前記適応イベント認識プログラムが更に、前記初期ユーザ関連情報を受け取った後に、前記選択されたターゲット・イベントに関連付けられる前記フィードバックの少なくとも一部を事前フェッチするように構成される、適応イベント認識システム。
【請求項６】
前記表示デバイスがヘッドマウント・ディスプレイ・デバイスである、請求項３記載の適応イベント認識システム。
【請求項７】
前記選択されたターゲット・イベントが手のジェスチャを含む、請求項３記載の適応イベント認識システム。
【請求項８】
請求項３記載の適応イベント認識システムにおいて、前記適応イベント認識プログラムが、更に、
前記初期ユーザ関連情報を受け取った後で、前記後続のユーザ関連情報を受け取るのよりも前に、中間ユーザ関連情報を前記選択されたセンサから受け取り、
前記中間ユーザ関連情報が、前記複数のプレ・イベントのサブセットからのプレ・イベントに整合するかを判定し、
前記中間ユーザ関連情報が、前記複数のプレ・イベントのサブセットからのプレ・イベントに整合する場合に、前記選択されたセンサを、前記第１ポーリング・レートよりも早く、且つ前記第２ポーリング・レートよりも低い、第３ポーリング・レートで動作させる、
ように構成される、適応イベント認識システム。
【請求項９】
請求項３記載の適応イベント認識システムにおいて、前記適応イベント認識プログラムが、更に、前記初期ユーザ関連情報が所定の時間フレーム内で受け取られない場合に、前記選択されたセンサを、前記第１ポーリング・レートよりも遅いタイム・アウト・ポーリング・レートで動作させるように制御するように構成される、適応イベント認識システム。
【請求項１０】
前記パターンの各々が、異なる一連のプレ・イベントを含む、請求項３記載の適応イベント認識システム。
【請求項１１】
前記複数の入力センサが、画像センサ、位置センサ、マイクロフォン、アイ・トラッキング・センサ、および生体センサからなる群から選択される、請求項３記載の適応イベント認識システム。
【請求項１２】
選択されたターゲット・イベントを認識するための方法であって、
複数の入力センサを備える表示デバイスにおいて、前記複数の入力センサの内選択されたセンサを、より高い潜在レイテンシに対応する第１ポーリング・レートで動作させるステップと、
初期ユーザ関連情報を前記選択されたセンサから受け取るステップと、
前記初期ユーザ関連情報が複数のプレ・イベントの内１つに整合するかを判定するステップであって、各前記プレ・イベントが１つ以上の異なるパターンのプレ・イベントに対応し、各前記パターンが、見込まれる異なるターゲット・イベントに導く、ステップと、
前記初期ユーザ関連情報が前記複数のプレ・イベントの内１つに整合する場合に、前記選択されたセンサを、前記第１ポーリング・レートよりも早く、且つ前記より高い潜在レイテンシ未満のより低い潜在レイテンシに対応する第２ポーリング・レートで動作させるステップと、
後続のユーザ関連情報を前記選択されたセンサから受け取るステップと、
前記後続のユーザ関連情報が、前記見込まれる異なるターゲット・イベントの中から選択されるターゲット・イベントに整合する場合に、前記選択されたターゲット・イベントに関連付けられるフィードバックを、前記表示デバイスを通じてユーザに供給するステップと
を含む、方法。
【請求項１３】
請求項１２記載の方法であって、更に、前記後続のユーザ関連情報が前記選択されたターゲット・イベントではない予測プレ・イベントに整合する場合に、
前記選択されたターゲット・イベントが発生することになる推定実行時間を決定するステップと、
前記推定実行時間に、または前記推定実行時間よりも前に、前記選択されたターゲット・イベントに関連付けられる前記フィードバックを前記ユーザに供給するステップと、
を含む、方法。
【請求項１４】
請求項１２記載の方法であって、更に、前記初期ユーザ関連情報を受け取った後に、前記選択されたターゲット・イベントに関連付けられる前記フィードバックの少なくとも一部を事前フェッチするステップを含む、方法。
【請求項１５】
前記表示デバイスがヘッドマウント・ディスプレイ・デバイスである、請求項１２記載の方法。
【請求項１６】
前記選択されたターゲット・イベントが手のジェスチャを含む、請求項１２記載の方法。
【請求項１７】
請求項１２記載の方法であって、更に、
前記初期ユーザ関連情報を受け取った後で、前記後続のユーザ関連情報を受け取るのよりも前に、中間ユーザ関連情報を前記選択されたセンサから受け取るステップと、
前記中間ユーザ関連情報が、前記複数のプレ・イベントのサブセットからのプレ・イベントに整合するかを判定するステップと、
前記中間ユーザ関連情報が、前記複数のプレ・イベントのサブセットからのプレ・イベントに整合する場合に、前記選択されたセンサを、前記第１ポーリング・レートよりも早く、且つ前記第２ポーリング・レートよりも低い、第３ポーリング・レートで動作させるステップと
を含む、方法。
【請求項１８】
請求項１２記載の方法であって、更に、前記初期ユーザ関連情報が所定の時間フレーム内で受け取られない場合に、前記選択されたセンサを、前記第１ポーリング・レートよりも遅いタイム・アウト・ポーリング・レートで動作させるように制御するステップを含む、方法。
【請求項１９】
前記パターンの各々が、異なる一連のプレ・イベントを含む、請求項１２記載の方法。
【請求項２０】
前記複数の入力センサが、画像センサ、位置センサ、マイクロフォン、アイ・トラッキング・センサ、および生体センサからなる群から選択される、請求項１２記載の方法。